(57)【要約】【課題】  その家庭固有の電気炊飯器使用パターンに応じた省エネモードの電気炊飯器を提供する。【解決手段】  この発明では、炊飯加熱制御手段および保温加熱制御手段を備え、炊飯加熱制御手段による炊飯工程終了後、保温加熱制御手段による保温工程に移行するようにしてなる電気炊飯器であって、ユーザー固有の電気炊飯器使用パターンを通常モードとは別の省エネモードとして記憶する使用パターン記憶手段と、省エネモード選択手段とを備え、該省エネモード選択手段を操作すると、上記使用パターン記憶手段に記憶されているユーザー固有の電気炊飯器使用パターンで、炊飯又は保温制御が行われるようにした。【選択図】        図５
2006305048.tif 000002
【特許請求の範囲】
【請求項１】
炊飯加熱制御手段および保温加熱制御手段を備え、炊飯加熱制御手段による炊飯工程終了後、保温加熱制御手段による保温工程に移行するようにしてなる電気炊飯器であって、ユーザー固有の電気炊飯器使用パターンを、通常モードとは別の省エネモードとして記憶する使用パターン記憶手段と、省エネモード選択手段とを備え、該省エネモード選択手段を操作すると、上記使用パターン記憶手段に記憶されているユーザー固有の電気炊飯器使用パターンにより炊飯又は保温制御を行うようにしたことを特徴とする電気炊飯器。
【請求項２】
ユーザー固有の電気炊飯器使用パターンは、所定時間内にユーザーが手動で選択設定した炊飯又は保温制御モードと所定のセンサにより自動的に検知された実際の炊飯又は保温制御データとの組み合わせによる自動的な炊飯又は保温制御パターンであることを特徴とする請求項１記載の電気炊飯器。
【請求項３】
省エネモードの内容をセットアップする所定の時間は、ユーザーが任意に設定することができるようになっていることを特徴とする請求項２記載の電気炊飯器。
【請求項４】
ユーザー固有の電気炊飯器使用パターンは、過去複数回の電気炊飯器使用パターンの内の最も省エネ性の高い使用パターンが採用されるようになっていることを特徴とする請求項１，２又は３記載の電気炊飯器。
【請求項５】
ユーザー固有の電気炊飯器使用パターンは、過去にユーザーが炊飯又は保温の各工程毎に手動で選択設定した省エネモードの炊飯又は保温制御パターンであることを特徴とする請求項１，２，３又は４記載の電気炊飯器。
【請求項６】
ユーザー固有の電気炊飯器使用パターンが、通常モードと比較して省エネにならない場合には所定の報知手段で報知するようにしたことを特徴とする請求項１，２，３，４又は５記載の電気炊飯器。
【発明の詳細な説明】
【技術分野】
【０００１】
本願発明は、ユーザー固有の省エネ制御機能を備えた電気炊飯器に関するものである。
【背景技術】
【０００２】
最近のマイコン制御式の電気炊飯器では、高い加熱出力で加熱効率良く炊飯を行ない、炊飯が完了すると、自動的に保温工程に移行し、ユーザーにより取消スイッチが押されるか又は保温設定時間が経過するまでの間は、ご飯の温度が予じめ設定した所望の保温温度に維持されるように、ご飯の温度を検出しながら保温ヒータ等保温加熱手段の加熱量を制御するようになっている（特許文献１参照）。
【０００３】
【特許文献１】特開２０００−１４５４１号公報（明細書第１−１０頁、図１−１１）
【発明の開示】
【発明が解決しようとする課題】
【０００４】
以上のように、これまでの電気炊飯器の場合、確かに炊飯時の加熱効率が高く、早く美味しく炊き上り、保温性能も良い点で、メリットが大きい。
【０００５】
しかし、一方消費電力が大きく、省エネ性に劣る欠点がある。
【０００６】
そこで、例えば多くの家電製品に見られるような予じめメーカー側で電力節減量を設定した省エネモード（セーブモード）を設け、該省エネモードが選択された時には、通常よりも小さな出力で炊飯又は保温制御を行うようにすることも考えられる。
【０００７】
しかし、そのような構成の場合、ユーザー側で自由なコントロールを行うことができず、設定された電力節減量が大きすぎる場合には、ユーザーに不満を抱かせる原因ともなり、折角の省エネモードも殆ど使用されないという結果を招く。また、省エネモードの使用、その時の電力節減量等電気炊飯器の使用パターンは、本来各ユーザー毎に固有の傾向があり、個々のユーザー毎に相違がある。
【０００８】
したがって、上記設定される省エネモードも、そのようなユーザー固有の傾向を反映したものであることが望まれ、そのように構成すると、ユーザーも省エネモードを積極的に活用することになると考えられる。
【０００９】
本願発明は、このような事情に基いてなされたので、その家庭固有の電気炊飯器使用パターンに応じた適切な省エネモードを備えた電気炊飯器を提供することを目的とするものである。
【課題を解決するための手段】
【００１０】
本願の請求項１〜６の発明は、各々以上のような課題を解決することを目的としてなされたものであり、それぞれ次のような課題解決手段を備えて構成されている。
【００１１】
（１）  請求項１記載の発明
この発明では、炊飯加熱制御手段および保温加熱制御手段を備え、炊飯加熱制御手段による炊飯工程終了後、保温加熱制御手段による保温工程に移行するようにしてなる電気炊飯器であって、ユーザー固有の電気炊飯器使用パターンを、通常モードとは別の省エネモードとして記憶する使用パターン記憶手段と、省エネモード選択手段とを備え、該省エネモード選択手段を操作すると、上記使用パターン記憶手段に記憶されているユーザー固有の電気炊飯器使用パターンにより炊飯又は保温制御を行うようにしたことを特徴としている。
【００１２】
したがって、このような構成によると、省エネモード選択手段を操作して省エネモードを選択すると、予じめメーカーサイドで設定されている通常の炊飯又は保温制御モードに比べて、省エネ性が高く、ユーザー固有の生活パターンを反映した適切な炊飯又は保温制御が実現される。
【００１３】
（２）  請求項２記載の発明
この発明では、上記請求項１記載の発明において、ユーザー固有の電気炊飯器使用パターンは、所定時間内にユーザーが手動で選択設定した炊飯又は保温制御モードと所定のセンサにより自動的に検知された実際の炊飯又は保温制御データとの組み合わせによる自動的な炊飯又は保温制御パターンであることを特徴としている。
【００１４】
このような構成によると、ユーザー固有の炊飯又は保温制御が、所定のセンサにより自動的に検出された実際の炊飯又は保温制御データに基いて自動的に実現される。
【００１５】
（３）  請求項３記載の発明
この発明では、上記請求項２記載の発明において、省エネモードの内容をセットアップする所定の時間は、ユーザーが任意に設定することができるようになっていることを特徴としている。
【００１６】
このような構成によると、設定操作が容易になり、省エネモードを、より使いやすいユーザーフレンドリーなシステムとすることが可能となる。
【００１７】
（４）  請求項４記載の発明
この発明では、上記請求項１，２又は３記載の発明において、ユーザー固有の電気炊飯器使用パターンは、過去複数回の電気炊飯器使用パターンの内の最も省エネ性の高い使用パターンが採用されるようになっていることを特徴としている。
【００１８】
このような構成によると、最も省エネ性の高い自動省エネモードを容易に実現することができる。
【００１９】
（５）  請求項５記載の発明
この発明では、上記請求項１，２，３又は４記載の発明において、ユーザー固有の電気炊飯器使用パターンは、過去にユーザーが炊飯又は保温の各工程毎に手動で選択設定した省エネモードの炊飯又は保温制御パターンであることを特徴としている。
【００２０】
このような構成によると、そのユーザー固有の生活パターン上の特徴を生かした有効かつ満足度の高い自動省エネ制御が可能となる。
【００２１】
（６）  請求項６記載の発明
この発明では、上記請求項１，２，３，４又は５記載の発明において、ユーザー固有の電気炊飯器使用パターンが、通常モードと比較して省エネにならない場合には所定の報知手段で報知するようにしたことを特徴としている。
【００２２】
このような構成によると、本来省エネにならない場合にまで、敢えて別制御を行う余分な制御動作を回避することができる。
【発明の効果】
【００２３】
以上のように、本願発明の電気炊飯器によると、一種の学習制御機能を有し、順次蓄積更新された過去の電気炊飯器使用データを基にして、当該ユーザーのオリジナルな省エネ制御内容が自動的に設定されて、省エネ性能の高い炊飯又は保温制御が行われるようになる。
【００２４】
したがって、ユーザーは炊飯又は保温の都度、手動で省エネ条件を設定する繁雑さからも解放される。
【発明を実施するための最良の形態】
【００２５】
図１〜図３は、ユーザー固有の省エネ制御機能を備えた本願発明の最良の実施の形態に係るマイコン式電気炊飯器の炊飯器本体の全体および要部の構成と作用をそれぞれ示している。
【００２６】
（全体の特徴）
先ず本願発明の最良の実施の形態における電気炊飯器は、例えば内鍋（飯器）３として電磁誘導の可能な磁性金属板よりなるものが採用されている一方、当該内鍋３に対する炊飯時の加熱手段として、合成樹脂製の内ケース４を介して当該内鍋３の底壁部３ａから側壁部３ｂの略全体を包み込むように当該内鍋３の底壁部３ａの中央部側と側方部側、および側壁部３ｂ側の３ケ所の全周に対応する３組のワークコイルＣ1，Ｃ2，Ｃ3が設けられ、また当該内鍋３に対する保温時の加熱手段として、当該内鍋３の側壁部３ｂの全周に対応する保温ヒータＨ1が設けられている。そして、それらをマイコン制御ユニット３２によって適切に駆動制御することによって適切な炊飯機能と保温機能とを実現できるようになっている。
【００２７】
一方、それらの各機能に対するタイマー予約や炊飯および保温メニューの選択、それら各メニューに対応した加熱量、加熱パターン、保温温度、保温時間などの操作設定は、当該電気炊飯器本体Ａの前面側操作パネル部２０に設けられた各種入力スイッチ群２２ａ〜２２ｉを介してユーザーにより行われ、その設定内容に応じて最終的に上記ワークコイルＣ1〜Ｃ3および保温ヒータＨ1が制御されるようになっている。
【００２８】
なお、上記保温温度、保温時間の設定、変更は、一つの方法としてメニュー選択スイッチ２２ｆによって保温温度設定又は保温時間設定機能を選んだ上で、例えば保温スイッチ２２ｄを何度かＯＮ操作することにより行われる。
【００２９】
また、上記操作パネル部２０の中央部には、炊飯、保温の各メニュー、設定された保温温度、設定保温時間並びに現在時刻および炊飯完了までの残時間その他の必要事項を表示する液晶表示部２１が設けられている。
【００３０】
そして、同電気炊飯器では、上述した炊飯又は保温制御を省エネ性能を考慮しない通常モードと該通常モードとは別の省エネ性能を考慮した省エネモードとの２つの炊飯又は保温制御モードを備えており、通常モードの場合には予じめメーカー側で定めた加熱出力、加熱パターン、加熱時間で自動的に加熱制御が行われるが、省エネモードの場合には、さらにユーザーが炊飯又は保温の各工程毎に手動で加熱出力、加熱パターン、加熱時間を選択設定する手動設定モードと、それらを自動設定する自動設定モードとの２つのモードがある。自動設定モードの場合、上記炊飯又は保温制御に必要な各種のファクターが、過去ユーザーにより省エネ性を考えて任意に手動設定モードで設定された当該ユーザー固有の制御条件（パラメータ）に基いて定められるようになっている。それらの各条件は、現在までの所定使用回数（所定日数）分の炊飯、保温制御データを基にして所定の基準で設定される。
【００３１】
そして、自動設定モードの場合、以後は、例えば後述する省エネスイッチ２２ｉを押す（これを自動設定モード開始の条件としている）ことにより、同設定内容に基いて自動的に省エネ炊飯、省エネ保温が行われる。
【００３２】
このような自動省エネ設定における上記所定の基準としては、例えば次のようなものが考えられる。
【００３３】
（１）  過去複数回の電気炊飯器使用パターン（炊飯又は保温制御）の内の最も省エネ性の高い使用パターンを採用する。
【００３４】
（２）  保温時間については、過去の平均時間が設定される。その場合、過去の保温時間は電源ＯＦＦまでの時間である。
【００３５】
（３）  食事時刻は過去の全ての食事時刻が該当し、その時間に合わせて加熱するようにする。
【００３６】
そして、過去の食事時刻は、例えば保温中の蓋の開閉検知や内鍋の急激な温度低下により判定する。
【００３７】
（炊飯器本体部分の構成）
該電気炊飯器の炊飯器本体Ａは、例えば図１に示すように、内部に誘起されるうず電流によって自己発熱が可能な例えばステンレス鋼板等の磁性金属板よりなる内鍋(飯器ないし保温容器)３と、該内鍋３を任意にセットし得るように形成された合成樹脂製の有底筒状の内ケース（保護枠）４と、該内ケース４を保持する外部筺体である有底筒状の外ケース１と、該外ケース１と上記内ケース４とを一体化して形成された炊飯器器体Ａの上部に開閉可能に設けられた蓋ユニット（蓋）２とから構成されている。
【００３８】
上記内ケース４の底壁部（底部）４ａの下方側にはコイル台７が設けられ、その上部には、フェライトコアを介し、上記内鍋３の底壁部（底部）３ａの中央部と側方部および内鍋３の側壁部３ｂの各位置に対応して各々リッツ線が同心状に巻成された３組のワークコイルＣ1，Ｃ2，Ｃ3が、それぞれ内鍋３の底壁部３ａから側壁部３ｂに到る略全体を包み込むように設けられており、それらにより通電時には内鍋３の略全体にうず電流を誘起して、その全体を略均一に加熱するようになっている。そして、該ワークコイルＣ1，Ｃ2，Ｃ3は、それぞれ相互に直列に接続されている（したがって、以下の動作説明および図３の制御回路図では単にワークコイルＣとして示す）。そして、その一端は、例えば図３の制御回路図に示すように整流回路３５および平滑回路３６を介した電源ラインに、また他端はＩＧＢＴ（パワートランジスタ）３７のコレクタにそれぞれ接続されている。
【００３９】
また、上記側壁部側ワークコイルＣ3の上方部には、保温時において加熱手段として機能する保温ヒータＨ1が設けられており、保温時において上記内鍋３の全体を有効かつ均一に加熱するようになっている。
【００４０】
また、上記内ケース４およびコイル台７の下方部側には、例えば図２に示されるような、ワークコイルＣ1，Ｃ2，Ｃ3、保温ヒータＨ1、肩ヒータＨ2等を駆動制御する上記ＩＧＢＴ３７やヒータ駆動回路３３，３４、マイコン制御ユニット３２、電源電圧整流用のダイオードブリッジよりなる整流回路３５、平滑回路３６などを備えた制御回路基板９が設けられている。
【００４１】
また上記外ケース１は、例えば合成樹脂材で形成された上下方向に筒状のカバー部材１ａと、該カバー部材１ａの上端部に結合された合成樹脂製の肩部材１１と、上記カバー部材１ａの下端部に一体化された合成樹脂製の底部材１ｂとからなり、かつ上記内ケース４の底壁部４ａとの間に所定の広さの断熱および通風空間部を形成した全体として有底の筒状体に構成されている。そして、該外ケース１の前面部上方には、例えば図２に示すような略半月形状の操作パネル部２０が設けられている。該操作パネル部２０面には、十分に広く大きな表示面積をもつ液晶表示部２１と炊飯スイッチ２２ａ、タイマー予約スイッチ２２ｂ、取消スイッチ２２ｃ、保温スイッチ２２ｄ、再加熱スイッチ２２ｅ、メニュー選択スイッチ２２ｆ、時スイッチ２２ｇ、分スイッチ２２ｈ、省エネモード選択手段である省エネスイッチ２２ｉ等の各種入力スイッチが設けられている。また、上記肩部材１１の肩部内周側には、肩ヒータＨ2が設けられている。
【００４２】
さらに、図示はしないが、上記内ケース４下方側のコイル台７の中央部には、上下方向に同心状に貫通したセンタセンサ収納空間部が形成されており、該センタセンサ収納空間部中に上下方向に昇降自在な状態で、かつ常時コイルスプリングにより上方に上昇付勢された状態で図２に示す内鍋温度検知センサＳおよび内鍋検知スイッチＬＳを備えたセンタセンサが設けられている。
【００４３】
一方、符号２は蓋ユニットであり、該蓋ユニット２は、その外周面を構成する合成樹脂製の外カバー１２と、該外カバー１２と内枠１４との間に設けられた金属製の断熱構造体１３と、該断熱構造体１３の内側にパッキン１７を介して設けられた金属製の内カバー１５と、該内カバー１５の下方に設けられた金属製の放熱板１６とによって内側が中空の断熱構造体に形成されている。また、上記断熱構造体１３は上下２枚の金属板１３ａ，１３ｂを閉断面構造に対向させて一体化することにより形成されている。
【００４４】
この蓋ユニット２は、上記外ケース１上部の肩部材１１に対してヒンジ機構を介して回動自在に取付けられており、その開放端側には、該蓋ユニット２の所定位置に係合して該蓋ユニット２の上下方向への開閉を行うロック機構１８が設けられている。
【００４５】
これらヒンジ機構およびロック機構１８の何れかには、蓋開閉検知手段が設けられる。この蓋開閉検知手段は、ヒンジ機構に設けられた角度センサー又はロック機構１８のロック解除レバーのＯＮ操作時に押されてＯＮ作動するリミットスイッチその他の手段により構成される。
【００４６】
したがって、該構成では、先ず炊飯時には、上記内鍋３は、上記３組のワークコイルＣ1，Ｃ2，Ｃ3の駆動によりその底壁部３ａから側壁部３ｂ側にかけて略全体が均一に発熱し、例えば内鍋３内の水に浸された飯米が断熱部として作用する吸水工程などにおいても内鍋３の上部側をもムラなく加熱して略全体に均一な吸水性能を可能にするとともに、炊飯量が多い時などにも内鍋３の全体を略均一に加熱して加熱ムラなく効率良く炊き上げることができる。また、沸騰工程以降の水分がなくなった状態における内鍋３の底壁部３ａの局部的な熱の集中を防止して焦げ付きの発生を防止することができる。次に、保温時には、上記内鍋３の側壁部３ｂに対応して設けられた上記保温ヒータＨ1および肩ヒータＨ2の駆動により、内鍋３の底壁部３ａから側壁部３ｂおよび上方部の全体が適切な加熱量で均一に加熱されて加熱ムラのない保温が実現される。
【００４７】
一方、上記制御回路基板９のマイコン制御ユニット３２には、上記各入力スイッチ２２ａ〜２２ｉを介して入力されたユーザーの指示内容を判断する所望の認識手段が設けられており、該認識手段で認識されたユーザーの指示内容に応じて所望の炊飯又は保温機能、所望の炊飯又は保温メニュー、それら炊飯又は保温メニューに対応した所定の加熱パターンを設定して、その炊飯加熱制御手段又は保温加熱制御手段を適切に作動させて所望の炊飯又は保温を行うようになっている。
【００４８】
したがって、ユーザーは、上記各入力スイッチ２２ａ〜２２ｉを使って炊飯又は保温、タイマー予約、予約時刻設定、白米又は玄米、早炊、おかゆ、すしめし、炊き込み等の炊き分け、通常モード又は省エネモードその他の各種の炊飯又は保温機能の選択設定内容を入力すれば、それに対応した機能内容が当該マイコン制御ユニット３２内の認識手段を介して炊飯および保温加熱パターン等設定部に自動的に設定入力され、対応する炊飯又は保温加熱制御が所望の制御パターン（通常／省エネ）で適切になされるようになる。
【００４９】
（炊飯器本体側制御回路部分の構成）
次に、図３は上述のように構成された炊飯器本体Ａ側の炊飯および保温制御（通常／省エネ）、保温中止判定制御、その他の制御を行うマイコン制御ユニット３２を中心とする制御回路部分の構成を示す。
【００５０】
図中、符号３２が上述のような炊飯加熱制御手段および保温加熱制御手段、保温中止判定制御手段に加え、内鍋温度判定手段、内鍋検知手段、ブザー報知手段等を備えた炊飯・保温・保温中止判定等制御用のマイコン制御ユニット（ＣＰＵ）であり、該マイコン制御ユニット３２はマイクロコンピュータを中心として構成され、例えば内鍋３の温度検知回路部、ワークコイル駆動制御回路部、内鍋３の検知回路部、発振回路部、リセット回路部、保温ヒータおよび肩ヒータ等駆動制御回路部、保温中止判定／保温中止制御回路部、ブザー報知部、電源回路部等を各々有して構成されている。
【００５１】
そして、先ず上記内鍋３の底壁部３ａ側センタセンサ部の内鍋温度検知センサＳ、内鍋検知スイッチＬＳに対応して設けられた温度検知回路４３および鍋検知回路４４には、例えば上記内鍋温度検知センサＳによる内鍋３の底壁部３ａの温度検知信号、内鍋検知スイッチＬＳによる鍋検知信号がそれぞれ入力されるようになっている。
【００５２】
また、上記ワークコイル駆動制御回路部は、例えばパルス幅変調回路４１、同期トリガー回路４０、ＩＧＢＴ駆動回路４２、ＩＧＢＴ３７、共振コンデンサ３８によって形成されている。そして、上記マイコン制御ユニット３２のワークコイル駆動制御回路部により、上記パルス幅変調回路４１を制御することにより、例えば炊飯工程に応じて上記ワークコイルＣ（Ｃ1，Ｃ2，Ｃ3）の出力値および同出力値でのＯＮデューティー比（例えばｎ秒／１６秒）をそれぞれ適切に変えることによって、炊飯工程の各工程における内鍋３の加熱温度と加熱パターンを炊飯量を考慮して適切に可変コントロールし、均一な吸水作用と加熱ムラのないご飯の炊き上げを実現するための適切な出力制御が行われるようになっている。
【００５３】
また同マイコン制御ユニット３２の保温ヒータ駆動制御回路部および肩ヒータ駆動制御回路部により、それぞれ保温ヒータ駆動回路３３および肩ヒータ駆動回路３４を制御することにより、例えば保温又は炊飯工程に応じて上記保温ヒータＨ1、肩ヒータＨ2の出力値および同出力値でのＯＮデューティー比（例えばｎ秒／１６秒）をそれぞれ適切に変えることによって、保温又は炊飯工程の各工程における内鍋３の加熱温度と加熱パターンとを実際の炊飯量を考慮して適切に可変コントロールするための適切な出力制御が行われるようになっている。
【００５４】
また、符号２２ａ〜２２ｉは上述した各種入力スイッチ部であり、同スイッチの必要なものが適切に操作されると、上記マイコン制御ユニット３２側の認識手段によってユーザーの指示内容が認識され、その認識内容に応じて所望の炊飯又は保温加熱パターンを設定して上記炊飯加熱制御手段又は保温加熱制御手段を適切に作動させて所望の炊飯又は保温（通常／省エネ）を行うようになっている。
【００５５】
したがって、ユーザーは、同入力スイッチ２２ａ〜２２ｉを使用して炊飯又は保温、タイマー予約、予約時刻設定、白米又は玄米、早炊、おかゆ、かため又はやわらかめ、すしめし、炊き込み等の炊き分け、通常モード又は省エネモード等の各種の炊飯又は保温機能の選択設定内容を入力すれば、それに対応した機能内容が当該マイコン制御ユニット３２の上述した認識手段を介して炊飯又は保温加熱パターン設定部に自動的に設定入力され、対応する炊飯又は保温加熱制御が適切になされる。
【００５６】
なお、図２、図３中の符号２３ａは炊飯表示ランプ、２３ｂは保温表示ランプ、２３ｃは予約表示ランプ、２３ｄは省エネ表示ランプ、また図３中の符号３９は、上記ＩＧＢＴ３７のフライホイールダイオード、３５は、家庭用ＡＣ電源３０との間に挿入された上記ワークコイル駆動用のダイオードブリッジを内蔵した電源側整流回路、３６はその平滑回路である。
【００５７】
さらに、符号１７は炊飯完了を知らせるブザー報知部、１６はリセット回路、２１は液晶表示部である。この実施の形態の場合、上記液晶表示部２１には、上記入力スイッチ２２ａ〜２２ｉのＯＮ操作に対応して所望のメニューや時刻等の必要事項が表示され、以後設定内容に応じた必要な表示がなされて行くようになっている。
【００５８】
なお、図３の制御回路では、繁雑さを避けるために、上記マイコン制御ユニット３２側への定電圧電源回路は省略して示している。
【００５９】
（炊飯〜保温制御・・・図４参照）
先ず、図４のフローチャートは、本最良の実施の形態の基本となる通常モードにおける炊飯〜保温制御フロー（メインルーチン）を示すものである。
【００６０】
すなわち、該炊飯〜保温制御フローでは、先ず炊飯器本体側の炊飯スイッチ２２ａが押された時点で、上述のワークコイルＣをＯＮにして炊飯を開始し、その制御動作をスタートさせる（ステップＳ1）。
【００６１】
その後、ステップＳ2で、上述した時計手段により該炊飯を開始した時刻（〇時〇分）をメモリする。そして、それにつづいて、ステップＳ3で吸水タイマーのタイマー動作をスタートさせた上で吸水工程に入る。
【００６２】
そして、その後、ステップＳ4の炊き上げ工程に進んで、上記ワークコイルＣのフルパワー出力で内鍋３を加熱し、飯米を速やかに昇温させる。その後、ステップＳ5で炊飯量を判定し、その判定結果（大量），（中量），（小量）に対応して、その量の炊飯に必要な以後の電力量（強），（中），（弱）を設定して、ステップＳ6の昇温、沸とう維持工程を実行する。
【００６３】
そして、以後、同ステップＳ6の沸とう維持工程を経てステップＳ7の炊き上げ検知判定に進み、上記温度検知センサによって検知される内鍋３の温度が、炊き上げ検知温度以下であるか、それよりも高くなったかを判定し、ＹＥＳ（以下）の場合は沸とう維持を継続するが、ＮＯ（より高い）の時は炊き上げ完了と判断して、ステップＳ8のむらし工程に進む。
【００６４】
そして、同むらし工程が終了（むらし時間が経過）すると、それにより炊飯を完了し、以後ステップＳ9の保温工程に移行する。
【００６５】
そして、本最良の実施の形態の場合、同保温工程では、上記ステップＳ2でメモリした炊飯の開始時刻に基いて自動的に設定された保温時間、保温温度で、保温制御が実行される。
【００６６】
（省エネモード選択時の制御）
ところで、上記のような電気炊飯器の実際の使用状況は、各家庭（ユーザー）において一定の傾向があり、パターン化されていることが多い。しかしながら、これまでの電気炊飯器における炊飯又は保温制御パターンの変更（可変）は、例えば早炊き選択や保温選択などに限定されている。それ以外のメニューでは、ユーザーによる調整変更は行えない。
【００６７】
そこで、この実施の形態では、手動による設定は素より、各家庭の過去の電気炊飯器使用パターンを学習制御的に使用パターン記憶手段に記憶させて置き、上述の省エネスイッチ２２ｉを押すことにより、所定の基準でその内のパターンを読み出して使用することにより、ご飯の味と省エネを目的としたユーザー固有のオリジナルな自動省エネ制御モードを実現することを目的としている。
【００６８】
図５のフローチャートは、同ユーザー固有のオリジナルな自動省エネ制御モードの内容を示している。
【００６９】
本実施の形態では、上述のように、操作パネル部２０に省エネモード選択スイッチ２２ｉが設けられている。したがって、先ずステップＳ1で、該省エネモード選択スイッチ２２ｉが押されたか否かを判定し、ＹＥＳ（ＯＮ）の場合には、自動的に上記ユーザー固有の省エネモード（自動設定）に入る一方、ＮＯ（ＯＦＦ）の場合には上記一般の通常炊飯・通常保温モード（ステップＳ9）に進む。
【００７０】
省エネモードに入った場合、先ずステップＳ2で、ユーザーが記憶させたい過去所定時間内の全ての制御実施パターンを使用パターン記憶手段に記憶させる。例えば早炊き・保温使用時間（開始・終了時刻はもちろんのこと、蓋開閉頻度及び時間帯なども）を記憶させる。そして、この記憶動作中は、上述の省エネ表示ランプ２３ｄを点滅させて、ユーザーに制御データ記憶動作中であることを知らせる（ステップＳ3）。そして、この記憶動作終了時に、ユーザー固有の電気炊飯器使用パターンが、通常モードと比較して省エネにならない場合には省エネ表示ランプ２３ｄの点滅速度を速くして、その旨をユーザーに報知する。
【００７１】
次に省エネ表示ランプ２３ｄの点滅終了により、上記記憶動作が終了し、通常モードよりも省エネであることが確認されると、さらにステップＳ4に進み、上記省エネ表示ランプ２３ｄの点滅終了時から所定時間（操作待機時間）以内に再び省エネスイッチ２２ｉが押されたか否かを判定する。
【００７２】
その結果、ＹＥＳの省エネスイッチ２２ｉが押された時は、ステップＳ5に進んで、上記記憶された制御データに基く当該ユーザー固有の省エネモードの自動制御を開始する。
【００７３】
そして、同制御では、最も最適な炊飯工程（早炊き）・炊飯時間より各制御内容を実行する。また保温時間については、当該ユーザーの過去の生活パターンに基いてパターン化された内容に従い、最も省エネとなる制御を実行する。この場合、最も省エネとなる保温制御とは、例えば蓋開閉ピーク時間及び保温終了時間より見て、高温にすべきか低温にすべきかを適切に判定し、その温度と時間について省エネ性が高くなるようにする。
【００７４】
例えば保温時間６時間の使用回数が最も多ければ、６時間省エネ保温を提供し、６時間以降はつやつや保温を提供するか、または電源を切る。また省エネ動作開始と同時に、その時の動作内容を液晶表示部２０上に表示する一方、時間表示については常時表示を止める。
【００７５】
そして、該制御が行われている間は、省エネ表示ランプ２３ｄを点滅させて、省エネ制御中であることを表示する（ステップＳ6）。
【００７６】
その後、当該制御が終了し、省エネスイッチ２２ｉが再度押されると（ステップＳ6でＹＥＳ）、省エネ動作終了処理（ステップＳ7）をして、省エネ制御を終了する。
【００７７】
なお、もちろん手動省エネ設定モードの場合には、設定されたモードを変更しない限り次回もこの手動省エネモード（一旦設定されたモード）が継続されるが、上記自動省エネモードの場合には、同自動省エネモードでの制御データ自体をも次の自動省エネ制御に反映させるようにする。
【００７８】
（変形例）
電気炊飯器の省エネ性能の向上は、上述のような自動／手動省エネモードの設定、改善等の省エネ制御機能による以外にも、ユーザー側の工夫一つで、当該機能が提案する省エネ効果以上のものを実現することが可能である。その１つとして、例えば図６に示すように、消費電力を提示するための電力スイッチ２２ｊを設け、同電力スイッチ２２ｊを押す度に、上記液晶表示部２０に「２４時間前、消費電力値／〇〇〇ＷＨ」を表示するようにする（例えば同電力スイッチ２２ｊを押している間のみ１分間継続表示）。
【００７９】
また、この消費電力機能使用時に、例えば時（アップ）スイッチ２２ｇ、分（ダウン）スイッチ２２ｈを押し、その表示内容を増減させる。そして、希望する数字設定後、電力スイッチ２２ｊを再度押すと、上記２４時間前消費電力値を強制的に同希望電力に合わせる制御を実施するようにする（例えば、保温時間を強制的に６時間設定とする等）。
【００８０】
さらに、上記液晶表示部２０に、文字表示の可能なドットマトリクスタイプの液晶を用いれば、要望する電力値に関する制御の概略をユーザーに知らせ、電力スイッチ２２ｊのＯＮにより、その内容を承認させるようにするような方法も取ることができる。
【図面の簡単な説明】
【００８１】
【図１】本願発明の最良の実施の形態に係る電気炊飯器本体の構成を示す一部切欠断面図である。
【図２】同電気炊飯器の操作パネル部分の正面図である。
【図３】同電気炊飯器の制御回路部分の構成を示すブロック図である。
【図４】同電気炊飯器のマイコン制御ユニットによる一般的な炊飯〜保温制御の内容を示すフローチャートである。
【図５】同電気炊飯器のマイコン制御ユニットによるオリジナル省エネ制御の内容を示すフローチャートである。
【図６】同本願発明の最良の実施の形態の変形例に係る電気炊飯器の構成を示す操作パネル部分の正面図である。
【符号の説明】
【００８２】
Ａは炊飯器本体、Ｃ1〜Ｃ3，Ｃはワークコイル、Ｈ1は保温ヒータ、１は外ケース、２は蓋ユニット、３は内鍋、１０は電源ＯＦＦスイッチ、２２ｉは省エネスイッチ、２２ｊは電力スイッチ、２３ｄは省エネ表示ランプ、３０はＡＣ電源、３２はマイコン制御ユニットである。
【図１】
2006305048.tif 000003
【図２】
2006305048.tif 000004
【図３】
2006305048.tif 000005
【図４】
2006305048.tif 000006
【図５】
2006305048.tif 000007
【図６】
2006305048.tif 000008